(57)【要約】【課題】安価でかつ簡素な構成で、対物レンズの冷却効果を高めることができる光ピックアップを提供する。【解決手段】対物レンズ１と対物レンズ１を支持する支持部材３とを含み、対物レンズ１と情報記録媒体７との相対位置を制御する光ピックアップであって、支持部材３は、対物レンズ１の光軸１ａから遠ざかるように突出した複数の突出部６を形成しており、支持部材３を対物レンズ１側から見たときに、複数の突出部６の少なくとも一つは、情報記録媒体７側の他の突出部６より延出した部分がある。【選択図】図３
2009110585.tif 000002
【特許請求の範囲】
【請求項１】
対物レンズと前記対物レンズを支持する支持部材とを含み、前記対物レンズと情報記録媒体との相対位置を制御する光ピックアップであって、
前記支持部材は、前記対物レンズの光軸から遠ざかるように突出した複数の突出部を形成しており、
前記支持部材を前記対物レンズ側から見たときに、前記複数の突出部の少なくとも一つは、前記情報記録媒体側の他の前記突出部より延出した部分があることを特徴とする光ピックアップ装置。
【請求項２】
前記複数の突出部は、最も前記情報記録媒体に近い前記突出部を除き、前記延出した部分がある請求項１に記載の光ピックアップ装置。
【請求項３】
前記支持部材に、前記支持部材を駆動させるための磁界発生手段を設けており、前記磁界発生手段は、前記突出部のうち前記突出部の突出方向と直交する方向の端部に対向するように配置されている請求項１又は２に記載の光ピックアップ装置。
【請求項４】
前記複数の突出部の少なくとも一つは、前記情報記録媒体の側に溝を形成している請求項１から３のいずれかに記載の光ピックアップ装置。
【請求項５】
前記支持部材に、前記支持部材を駆動させるための磁界発生手段を設けており、前記磁界発生手段は、前記突出部のうち前記突出部の突出方向と直交する方向の端部に対向するように配置されており、前記複数の突出部の少なくとも一つは、前記情報記録媒体の側に、先端が前記端部に至る溝を形成している請求項１又は２に記載の光ピックアップ装置。
【発明の詳細な説明】
【技術分野】
【０００１】
本発明は、光学式記録再生装置に用いられる光ピックアップに関する。
【背景技術】
【０００２】
ＣＤ、ＤＶＤ等の光ディスク記録媒体に記録された情報の読み取り、又は光ディスク記録媒体への記録のために、従来から対物レンズと光ディスクとの相対位置をコイルとマグネットから構成された電磁アクチュエータにより制御する光ピックアップが一般的に用いられている。
【０００３】
光ピックアップは、プラスチックで形成された対物レンズと、これを保持するレンズホルダーとを備えている。このレンズホルダは、対物レンズをフォーカス方向に駆動するためのフォーカスコイルと、トラッキング方向に駆動するトラッキングコイルとを設けている。このような光ピックアップは、例えば４本のワイヤーにより片持ち支持された構成となっている。
【０００４】
近年、光ピックアップは益々小形化され集積化される傾向にあり、対物レンズは発熱源であるフォーカスコイル及びトラッキングに近接して配置される。また記録・再生の高倍速化も進展し、フォーカスコイル及びトラッキングコイルに通電する駆動電流が増加する傾向にある。
【０００５】
これらのコイルからの発熱によりレンズホルダが加熱され、対物レンズの温度が上昇する。この場合、対物レンズには、これらのコイルに近い側が遠い側に比べて高くなるという温度分布が生じる。その結果、熱膨張率の高いプラスチックで形成された対物レンズは、容易に肉厚が変化し、軸非対称の熱変形を起し、コマ収差、球面収差、アス収差が増加するという問題があった。
【０００６】
前記のような問題を解決する光ピックアップとして、特許文献１に提案されたものがある。この光ピックアップは、プラスチックレンズの下側にかつそれに接触するように厚さが一定の円環状に形成された例えばベリリウム鋼合金のような熱伝導率の高い部材を配置することにより、プラスチックレンズの温度勾配を低減し、これに起因する各種収差を低減するというものである。
【特許文献１】特開平１１−１７６００９号公報
【発明の開示】
【発明が解決しようとする課題】
【０００７】
しかしながら、特許文献１に提案された光ピックアップの構成では、光ピックアップアクチュエータの可動部である対物レンズ及びコイルを搭載したレンズホルダは、環状部材により重量が重くなる。この場合、その重量増加分の推力を稼ぐために駆動電流が増加し、その結果コイルの発熱量が増加するという問題があった。また、環状部材追加によりコストが増加するとともに光ピックアップの組立て工数も増加する。
【０００８】
本発明は、前記のような従来の問題を解決するものであり、安価でかつ簡素な構成で、対物レンズの冷却効果を高めることができる光ピックアップを提供することを目的とする。
【課題を解決するための手段】
【０００９】
前記目的を達成するために本発明の光ピックアップは、対物レンズと前記対物レンズを支持する支持部材とを含み、前記対物レンズと情報記録媒体との相対位置を制御する光ピックアップであって、前記支持部材は、前記対物レンズの光軸から遠ざかるように突出した複数の突出部を形成しており、前記支持部材を前記対物レンズ側から見たときに、前記複数の突出部の少なくとも一つは、前記情報記録媒体側の他の前記突出部より延出した部分があることを特徴とする。
【発明の効果】
【００１０】
本発明によれば、安価でかつ簡素な構成で、対物レンズの冷却効果を高めることができる。
【発明を実施するための最良の形態】
【００１１】
本発明の光ピックアップによれば、情報記録媒体の回転により対流する空気が突出部に当たり易くなり、対物レンズの冷却効果を高めることができる。この効果は、各突出部の形状自体の設定により実現でき、安価でかつ簡素な構成で、前記効果が得られる。
【００１２】
前記本発明の光ピックアップにおいては、前記複数の突出部は、最も前記情報記録媒体に近い前記突出部を除き、前記延出した部分があることが好ましい。この構成によれば、すべての突出部に、情報記録媒体の回転により対流する空気が当たり易くなり、対物レンズの冷却効果に有利になる。
【００１３】
また、前記支持部材に、前記支持部材を駆動させるための磁界発生手段を設けており、前記磁界発生手段は、前記突出部のうち前記突出部の突出方向と直交する方向の端部に対向するように配置されていることが好ましい。この構成によれば、磁界発生手段に当たる空気の量が増え、磁界発生手段の冷却効果も高めることができる。
【００１４】
また、前記複数の突出部の少なくとも一つは、前記情報記録媒体の側に溝を形成していることが好ましい。この構成によれば、突出部と空気との接触面積が大きくなり、突出部による対物レンズの冷却効果をより高めることができる。
【００１５】
また、前記支持部材に、前記支持部材を駆動させるための磁界発生手段を設けており、前記磁界発生手段は、前記突出部のうち前記突出部の突出方向と直交する方向の端部に対向するように配置されており、前記複数の突出部の少なくとも一つは、前記情報記録媒体の側に、先端が前記端部に至る溝を形成していることが好ましい。この構成によれば、空気が溝に沿って磁界発生手段に至るように流動するので、磁界発生手段の冷却効果も高めることができる。
【００１６】
以下、本発明の一実施の形態について図面を参照しながら説明する。
【００１７】
（実施の形態１）
図１は、本発明の実施の形態１に係る光ピックアップ１０の平面図である。本図に示した光ピックアップ１０は、対物レンズ１を備えており、対物レンズ１は支持部材であるレンズホルダ３に支持されている。レンズホルダ３には、磁界発生手段であるコイル基板２a及びコイル基板２ｂが保持されている。対物レンズ１は、ＰＭＭＡ等のプラスチックで形成でき、レンズホルダ３は、液晶ポリマー樹脂等で射出成形することができる。
【００１８】
コイル基板２a、２ｂは、レンズホルダ３を駆動させるためのものである。レンズホルダ３の駆動により、レンズホルダ３に支持された対物レンズ１も駆動され、対物レンズ１と情報記録媒体であるディスクとの相対位置を制御することができる。コイル基板２a、２ｂは、レンズホルダ３と一体の対物レンズ１を、フォーカス及びトラッキング方向へ駆動させるためのコイル配線パターンをプリント配線板に一体に積層形成したものである。
【００１９】
４a、４ｂは、駆動磁気回路のマグネットである。５a、５ｂ、５ｃ、５ｄは、レンズホルダ３を弾性支持するサスペンションワイヤである。この４本のスペンションワイヤ５a−５ｄにより、レンズホルダ３は片持ち支持されている。
【００２０】
対物レンズ１を駆動するためには、コイル基板２a、２ｂに電流を供給する必要がある。この場合、電流が流れたことにより、コイル基板２a、２ｂのコイルが発熱する。この熱は対物レンズ１に伝熱され、対物レンズ１の温度が上昇する。この温度上昇を抑えるために、レンズホルダ３に突出部６を設けている。突出部６について、図２、３を参照しながら具体的に説明する。
【００２１】
図２は、レンズホルダ３の斜視図である。図３は、図２のＡＡ線における断面図であり、スピンドルモータ８により回転するディスク７との位置関係も示している。図２、３に示したように、突出部６は対物レンズ１の光軸１ａから遠ざかるように突出している。
【００２２】
図３において、対物レンズ１の光軸１ａと突出部６の先端との間の距離を突出距離ｄとする。図３に示したように、各突出部６の突出距離ｄは、ディスク７から遠ざかるにつれて大きくしている。すなわち、レンズホルダ３を対物レンズ１側から見たときに、最もディスク７に近い突出部６を除き、各突出部６はディスク７側の他の突出部６より延出した部分がある。
【００２３】
ここで、ディスク７の回転により、ディスク７の周辺に空気の対流が生じる。この対流により、図３の矢印９で示したように、ディスク７の外周側に向かいつつ、ディスク７から遠ざかるように移動する空気の流れが生じる。
【００２４】
仮に、図３において、各突出部６の突出距離ｄが等しい場合、図３の矢印９で示したような流れの空気は、最もディスク７に近い突出部６には当たることになるが、これ以外の突出部６には当たりにくくなり、冷却効果も不十分なものになる。
【００２５】
図２、３に示した突出部６の構成によれば、各突出部６はいずれも図３の矢印９で示したような流れの空気に当たることになる。このことにより、レンズホルダ３の冷却効果を高めることができる。
【００２６】
さらに、各突出部６の突出距離ｄの設定を変化させることにより、各突出部６による冷却効果にも変化が生じる。この冷却効果の変化により、レンズホルダ３に搭載された対物レンズ１の温度分布も変化することになる。したがって、各突出部６の突出距離ｄの設定により、対物レンズ１の温度分布を低減できる場合もある。
【００２７】
また、図１−３に示したように、レンズホルダ３に設けたコイル基板２a、２ｂは、突出部６のうち突出部６の突出方向と直交する方向の端部に対向するように配置されている。この構成によれば、突出部６に当たった空気が、突出部６に沿ってコイル基板２a、２ｂに至る空気の流れも生じる。このことにより、熱源であるコイル基板２a、２ｂの冷却効果も高めることができる。
【００２８】
なお、冷却効果を高める観点からは、図２、３の例のように、各突出部６の突出距離ｄがディスク７から遠ざかるにつれて大きくなる構成が好ましい。一方、冷却効果を高めつつ、対物レンズ１の温度分布を低減させようとした場合、必ずしも図２、３の構成になるとは限らない。したがって、レンズホルダ３を対物レンズ１側から見たときに、突出部６の少なくとも一つが、ディスク７側の他の突出部７より延出した部分がある突出部である構成も考えられる。
【００２９】
また、突出部６は矩形状の例で説明したが、突出部６の形状は各種考えられ、例えば先端が曲面の形状も考えられる。このような形状であっても、延出部分があるように、各突出部を形成すればよい。
【００３０】
（実施の形態２）
本発明の実施の形態２について、図４及び図５を参照しながら説明する。実施の形態２は、突出部６の構成を除き、実施の形態１と同じ構成であるので、重複した説明は省略する。図４は、実施の形態２に係るレンズホルダ３の斜視図である。図５は図４のＢＢ線における断面図である。
【００３１】
図４に示したレンズホルダ３が図２に示したレンズホルダ３と異なっているのは、突出部６に溝１１を設けている点である。突出部６に溝１１を設けたことにより、ディスクの回転によって生じる対流空気との接触面積が大きくなる。このことにより、突出部６によるレンズホルダ３の冷却効果をより高めることができる。
【００３２】
また、図４、５の構成では、溝１１は突出部６の端部に配置されたコイル基板２a、２ｂに至るように形成している。したがって、溝１１内に入り込んだ空気は、溝１１に沿って流動し、両側のコイル基板２a、２ｂに至ることになる。このことにより、熱源であるコイル基板２a、２ｂに至る空気の量が増え、コイル基板２a、２ｂの冷却効果をより高めることができる。
【００３３】
なお、図４、５の構成では、溝１１は、各突出部６に２本ずつ形成しているが、溝１１の形成の有無、溝１１の本数、溝１１の形成範囲は、適宜決定すればよい。また、突出部６の数についても、適宜決定すればよい。
【００３４】
以下、本発明のシミュレーション結果について、図６を参照しながら説明する。図６において（ａ）は比較例を示す斜視図であり、（ｂ）は実施例を示す斜視図である。比較例に係るレンズホルダ２０は、高さｈ＝８ｍｍ、幅ｗ＝１２ｍｍ、奥行きｄ＝８ｍｍ、厚さｔ１＝１ｍｍの有底の箱状体（上側は開放、下側は底面有り）を樹脂部材（１Ｗ／℃ｍ）で形成したものである。これに対して、（ｂ）図に示した実施例に係るレンズホルダ３０は、（ａ）図のレンズホルダ２０に、厚さｔ２＝１ｍｍの突出部３１を１面に３個、合計６個設けたものである。突出部３１は実施の形態１と同様の構成であり、突出距離は上から順に、１ｍｍ、２ｍｍ、３ｍｍとした。
【００３５】
環境温度（周囲の空気温度）５０℃にて、レンズホルダ２０、３０のそれぞれに、１Ｗの発熱を加え、上側より（図の矢印方向）流速３ｍ／ｓの空気（５０℃）を当てた。その結果、比較例に係るレンズホルダ２０の平均温度が９９度であったのに対して、実施例に係るレンズホルダ２０の平均温度は８７℃であった。突出部３１の追加により、１２℃（１２％）の温度低減の効果が確認できた。
【産業上の利用可能性】
【００３６】
本発明によれば、安価でかつ簡素な構成で、対物レンズの冷却効果を高めることができるので、本発明は、特に小型、薄型化、高倍速化を図る光学式記録再生装置に用いられる光ピックアップとして有用である。
【図面の簡単な説明】
【００３７】
【図１】本発明の実施の形態１に係る光ピックアップの平面図。
【図２】図１に示したレンズホルダ３の斜視図。
【図３】図２のＡＡ線における断面図。
【図４】本発明の実施の形態２に係るレンズホルダ３の斜視図。
【図５】図４のＢＢ線における断面図。
【図６】本発明のシミュレーション結果を説明する図であり、（ａ）は比較例を示す斜視図、（ｂ）は実施例を示す斜視図。
【符号の説明】
【００３８】
１  対物レンズ
２a，２ｂ  コイル基板
３  レンズホルダ
４a、４ｂ  マグネット
５a，５ｂ，５ｃ，５ｄ  サスペンションワイヤ
６，３１突出部
７  ディスク
８  スピンドルモータ
９  ディスク回転による対流
１０  光ピックアップ
１１  溝
【図１】
2009110585.tif 000003
【図２】
2009110585.tif 000004
【図３】
2009110585.tif 000005
【図４】
2009110585.tif 000006
【図５】
2009110585.tif 000007
【図６】
2009110585.tif 000008